(57)【特許請求の範囲】
【請求項１】
基部テープ（６）の少なくとも一面にエラストマー、熱可塑性材料等の柔軟な被覆層をもつ一対のジッパー支持テープ（２，３）と、それぞれの基部テープ（６）の側縁に縫着される噛合部材列（４，５）と、一対のジッパー支持テープ（２，３）の長手方向に移動させることにより、ジッパー支持テープ（２，３）を開放及び閉鎖位置とするジッパースライダー（１０）とを備えた液密ジッパーであって、
噛合部材列（４，５）は、各基部テープ（６）の側縁に直交して間隔を開けた状態で横断方向に変位した位置に縫着され、噛合部材列（４，５）の係合時に柔軟な前記被覆層の対向する密着縁部（９）がジッパーの中心軸線において且つジッパーの主平面に対して直角に交差する長手方向の平面に沿って互いに当接するとともに、噛合部材列を支持している側とは反対側に屈曲してジッパーの主平面に略直角に延びるように前記長手方向の平面上に突出し、
前記突出する一対のジッパー支持テープ（２，３）の対向する密着縁部（９）を構成する前記被覆層は、押圧動作により互いに液密状態に係合し、
前記ジッパースライダー（１０）は下板（１１）、上板（１２）及びこれら二つの板を連結するスライダー楔部（１３）と、スライダー楔部（１３）の中央領域に形成され上板（１２）及び下板（１１）間を略平行に延びる案内縁部（１４）とを有してなり、
前記案内縁部（１４）は、スライダー楔部（１３）のいずれかの側において左右の噛合部材列（４，５）を収容する二つの第一チャンバー（１５，１６）と、ジッパー支持テープの対向する密着縁部（９）を収容する二つの第二チャンバー（１７，１８）とに分けてなり、
前記ジッパー支持テープ（２，３）の互いに連結された二つの端部には、前記案内縁部（１４）上にあってスライダー（１０）が円滑に案内できる寸法に設定され、且つ密封に必要な押圧力を確保するエラストマーが更に設けられ、スライダー端部位置におけるジッパーのシーリング機能を増加させてなる、
ことを特徴とする液密ジッパー。
【請求項２】
ジッパー支持テープ（２，３）の連結端部の噛合部材列（４、５）からの離間側に、適宜大きさのＵ字状で弾性がありスライダー（１０）の上板の下面に係合する柔軟なカム（２１）が射出成形又は加硫により成形されてなることを特徴とする請求項１記載のジッパー。
【請求項３】
前記Ｕ字状カム（２１）の上面に沿って、内外方向に離間する二つの隣接する突部を有するとともに、その突部に挟まれる少なくとも一つの溝（２２）を有してなることを特徴とする請求項２記載のジッパー。
【請求項４】
前記溝（２２）は、Ｕ字状カム（２１）の二つの脚部（２３，２４）と、各脚部（２３，２４）を繋ぐクロスバー（２５）との上に延び、同クロスバーと離れた側の脚部端部で終わってなることを特徴とする請求項３記載のジッパー。
【請求項５】
ジッパー支持テープ（２，３）の二つの端部の領域には、テープ幅方向の延びる接合バーシステム（２７）を有し、テープ幅方向の力を吸収して幅方向の拡開時の損傷に対してジッパーを保護してなることを特徴とする請求項１〜４のいずれかに記載のジッパー。
【請求項６】
前記接合バーシステム（２７）は、上記Ｕ字状カム（２１）の脚部（２３、２４）を繋ぐカムクロスバーの下方のエラストマー、熱可塑性材料等の上記被覆層に挿入された張力に耐性のある柔軟な少なくとも一本の糸条（２８）を備えてなることを特徴とする請求項５記載のジッパー。
【請求項７】
前記案内縁部（１４）は、スライダーの移動端部位置において、エラストマー等の上記被覆層の対応する側面に形成された溝内に収容されてなることを特徴とする請求項１〜６のいずれかに記載のジッパー。
【発明の詳細な説明】
【０００１】
【発明の属する技術分野】
本発明は、一対の液密ジッパー支持テープを有する液密ジッパーに関する。
【０００２】
【従来の技術】
一対の液密ジッパー支持テープは、それぞれ少なくともその一面を覆うエラストマーや熱可塑性材料等の柔軟な被覆層をもつ基部テープを備えている。また、それぞれに支持テープの側縁に間隔を開けた状態で変位した位置に横断するようにして連続的な噛合部材列が縫着されている。柔軟な被覆層の対向する密着縁部がジッパーの中心軸線において且つジッパーの主平面に対して直角に交差する長手方向の平面に沿って互いに密着する。噛合部材列が外れたとき及び噛合部材列が係合したとき、噛合部材列を支持している側とは反対側に屈曲してジッパーの主平面に略直角に延びる程度に前記長手方向の平面上に突出し、基部テープ上に突出する二本のジッパー支持テープの対向する密着縁部の柔軟な被覆層は、押圧動作により互いに液密状態に係合する。長手方向に移動しジッパー支持テープを開放及び閉鎖位置に移行させるジッパースライダーは、下板、上板及びこれら二つの板を連結するスライダー楔部の他に、スライダー楔部の中央領域に形成され上板及び下板間を略平行に延びる案内密着縁部を有し、スライダー楔部はジッパー支持テープの相対する密着縁部を収容する二つの第二チャンバーと、そのいずれかの側において各噛合部材列を収容する二つの第一チャンバーとに分かれる。
【０００３】
【発明が解決しようとする課題】
前述のジッパーは同一出願人の先の独国出願１９９  ２４  ５３９．８−２６の主題を形成し、同出願において従来のジッパーの問題点は解消され、またより簡単な構造にもかかわらず、押圧動作においても、長期間にわたって液体及び気体の両方に対する完全な密封動作がなされる。しかしながら、前記先のジッパーの場合、ジッパースライダーが閉鎖されたジッパー状態に移行されたときも、噛合部材列の最後の噛合部材が密封されて液体シールが確保される位置に保持される、完全に満足のいく態様を確実に実現するとは限らない。スライダー楔部のいずれかの側において、そこに配された噛合部材から離間した状態を保つため、この端部領域において完全に確実なシールを実現するためには格別なシーリング対策を講じなければならない。
【０００４】
これに基づいて、本発明の課題は、比較的簡単な構造でジッパースライダーの領域においても完全な液密性が確保されるような上述のタイプの液密ジッパーを更に開発することにある。
【０００５】
【課題を解決するための手段】
本発明によれば、かかる課題は、ジッパーのスライダー端部位置におけるシール機能を大きくするために、各ジッパー支持テープが相互に連結された二つの端部には、寸法がより制限され且つその結果スライダー楔部上に形成された案内密着縁部上にスライダーを案内する十分以上の押圧力が確保されるエラストマーを配している。閉鎖状態にある噛合部材列に沿ってだけではなく、ジッパーの端部領域においても、得られる上板及び下板間を過剰なまでに押圧するエラストマーが存在する結果、求められているシール性能が確保された液密シールが得られる。
【０００６】
これに関連して、噛合部材列と離間するジッパー支持テープの二つの相互連結端部の側において、略Ｕ字状の弾性的で柔軟な、スライダー上板の下側に当接するカムを射出成形又は加硫することにより成形することが極めて有用である。スライダーをその端部位置に移動させる間においても、前記カムのエラストマー変形が必要なことから、ある程度の抵抗がもたらされる。この柔軟なカムを好適な寸法とすれば、同抵抗は規制される。その結果、スライダーの始動をシールの性能を向上させた上で、確実にコントロールすることができる。
【０００７】
Ｕ字状カムに二つの隣接する突部により画成された少なくとも一つの溝が形成されることは、これによりシール動作を損なうことなく抵抗動作を減らすことができるため、特に有利である。
【０００８】
もう一つの好ましい態様によれば、溝は、Ｕ字状カムの二つのＵ字状脚部と、のＵ字状脚部間を連結するクロスバーとに沿って延び、クロスバーから離れた脚部端でいずれも終わっている。実際上は、前記脚部端は閉鎖端部位置におけるスライダーの後部領域であり、即ちそこまで噛合部材列は閉鎖位置にあり、上記被覆層が相互にシールする関係にある状態となる領域である。
【０００９】
閉鎖端部位置にあるスライダーの正面領域に面して、即ちジッパー支持テープの相互に連結された二つの端部の領域において、幅方向の力を吸収し引き離したり拡開したりする力による損傷に対してジッパーを保護する幅方向の接合バーシステムが設けられていることが好ましい。適切には、幅方向の接合バーシステムは、上記Ｕ字状カムのＵ字状脚部を繋ぐカムクロスバーの下方の上記エラストマーや熱可塑性材料等に挿入される少なくとも一つの張力に耐性があり柔軟な糸条を備えている。好適には、張力に耐性がある柔軟な糸としてアラミド糸が使用できる。
【００１０】
高い負荷に耐えられる可能性をもつことと、それによるジッパーの長い使用期間に鑑みると、幅方向の前記接合バーシステムにはジッパー支持テープの端部領域において噛合部材列に沿ってそれぞれ平坦で強い補強挿入部材を配することが有利であり、また張力に耐性のある柔軟な上記糸条はそれぞれ補強挿入部材上で配すること、又はそこに織り込まれることが特に有利であると証明されている。補強補強挿入部材として、ポリエステル織物を用いることが好ましい。
【００１１】
【発明の実施形態】
本発明の効果と特徴は添付図面に関連して、以下の説明により理解される。図１はジッパースライダーが二本のジッパー支持テープが閉鎖されて液密状態に移行された状態におけるジッパー端部の上流側におけるジッパーの模式断面図であり、図２は図１のII-II 線に沿ってスライダー部分を部分的に断面で示すジッパーの平面図、図３は図２のIII-III 線に沿ったジッパーの模式断面図、図４は図２のIV-IV 線に沿ったジッパー支持テープをもつジッパースライダーの上半部の模式断面図、図５は図２のV-V 線に沿ったジッパー支持テープ及びスライダーの模式的な長手方向断面図、図６は図５の矢印VIの方向に対応する端部領域におけるジッパー支持テープを下方から見た模式的な部分平面図である。
【００１２】
従来の態様では、図面に示されたジッパー１は二本のジッパー支持テープ２、３と、そこに縫着された噛合部材列４，５とを有している。それぞれの支持テープ２，３は、例えばポリエステルやその他の熱可塑性材料からなる織物製の基部テープ６を備えている。しかしながら、基部テープ６を綿糸から作ることもできる。
【００１３】
各基部テープ６には、その噛合部材列４，５から離間する側に柔軟な合成ゴム製の被覆層が設けられている。しかして、この用語はエラストマーを含むものであるが、基部テープ６をコーティングするのに熱可塑性材料を使用することもできる。
【００１４】
被覆層は図面上では見ることができない。柔軟な被覆層と、同被覆層により完全に覆われる基部テープ６の端面との位置関係に関する更なる詳細は、同一出願人による先の独国出願１９９  ２４  ５３９．８−２６から理解することができる。この先の出願の目的は、連続する噛合部材列４，５が、柔軟な被覆層の相対する密着縁部がジッパーをその中心軸線に沿って且つジッパーの主平面に直角に交差する長手方向の平面に沿って互いに当接するように、ジッパー支持テープ２，３に縫着されているという事実である。噛合部材列４，５が係合しているときには、ジッパー支持テープ２，３の相対する側縁は各噛合部材列を支持する側から離間するように屈曲してジッパーの主平面に対して略直角に延びるが、噛合部材列４，５が外されると、各側縁は前記長手方向の平面上に突出する。それぞれが基部テープ６上に略直角に突出する二本の対向する密着縁部の柔軟な被覆層は、押圧動作により互いに係合しその結果液密状態が満足される。
【００１５】
対向する密着縁部の領域における柔軟な被覆層の断面は、ジッパー支持テープの他の領域よりも厚い。このため、噛合部材列４，５が噛合状態にあるとき互いに対して作用する圧縮力が増加することになる。基部テープ６の端部の直近上流側の広がって、湾曲した領域の柔軟な被覆層材料の増加量により、支持テープの係合する密着縁部での十分以上の押圧を確実にする。
【００１６】
噛合部材列４，５が係合していないとき、問題の長手方向平面上に突出するジッパー支持テープ２、３の対向する密着縁部は、ジッパーの主平面に対して傾斜した平面に終わり主平面と鋭角を形成するように予め適宜成形されている。柔軟な被覆層を形成する材料の固さとの関係で、前記鋭角は約２０〜４０°にすることが好ましい。この予備成形は、基部テープ６に図１、図３及び図４に示すような効果をもたらしている。
【００１７】
図面は以下に説明するような態様で被覆する追加的なエラストマーが配されたジッパー支持テープ２，３の二つの相互連結された端部の領域における状態を示しているにすぎないため、柔軟な被覆層は追加的な被覆又はコーティングと一体化され、即ち独立した要素としてはみることができない。
【００１８】
長手方向の移動して、噛合部材列４，５を係脱させて、ジッパー支持テープ２，３を開放又は閉鎖させるジッパースライダー１０は、下板１１及び上板１２、並びに二つの板１１，１２を互いに連結するスライダー楔部１３とを備えている。上板１２及び下板１１間に略平行に延びて突出する案内縁部１４が、スライダー楔部１３の中央領域に設けられている。スライダー楔部１３のいずれかの側において、この案内縁部１４は、噛合部材列４，５を収容する二つの第一チャンバー１５及び１６とジッパー支持テープ２，３の対向する密着縁部を収容する二つの第二チャンバー１７，１８とを分ける。特に図２から理解できるように、案内縁部１４の外縁１９は案内縁部を支持するスライダー楔部１３からほぼ一定の幅をもたせている。
【００１９】
図３〜図５は二本のジッパー支持テープ２，３の端部領域、即ち噛合部材列４、５が終わり、もはや閉鎖機能を果たさない部位において、ジッパースライダー１０及び被覆する追加的な支持テープエラストマーにより密閉された液体シールが達成されることを示している。このために噛合部材列４，５は、噛合部材列４，５の厚さ（高さ）にほぼ相当するエラストマー層に完全に埋設されている。前記埋設された噛合部材列４，５には、噛合部材列側に且つ噛合部材列と略同じ厚さをもって、エラストマーや熱可塑性材料等らなる平坦な層２０が連続して連結されている。同層２０は約５０バールの高圧で射出成形され、基部テープ６の端縁から前方に延び、スライダー楔部１３のいずれかの側において噛合部材列４，５に続く両側縁部分を案内縁部１４とスライダーの下板１１の間の領域を連結している。
【００２０】
ジッパー支持テープ２，３の相互を連結した端部の噛合部材列４，５から離れた側の表面にも、エラストマー層、即ち弾性がある平面視で略Ｕ字状のエラストマーや熱可塑性材料等からなる射出成形又は加硫により得られた柔軟なカム２１が適用される。スライダーが端部位置にあるとき、過剰な押圧を伴ってスライダーの上板１２の下側に係合する。この係合時の過剰な押圧力は、下板１１の頂部及び上板１２の底部の間の案内密着縁部１４を含むスペースと比べてカム２１の大きさを大きくするがために生じる。カム２１の二つの隣接する突部の間に形成される溝２２は、前記Ｕ字状カム２１内に形成されることになる。この溝２２は、Ｕ字状カム２１の二つの脚部２３，２４上に、また同じく脚部２３，２４間を繋ぐクロスバー２５上に延び、いずれもクロスバー５から遠い脚部端、即ち噛合部材列４，５がその支持テープ２，３と共にその噛合及び閉鎖機能を終了する部位、つまり端部位置にあるスライダー１０の直近隣接位置で終わっている。図面では破線の形で下板１１と上板１２との間に過剰な押圧が生じることが示されており、それは閉鎖時の操作力が減少するにもかかわらず、完全に十分な密封状態の液体シールを可能にする。勿論、過剰な押圧の程度は、図示例のごとく、一つの溝２２ではなく、カム２１内の二つの隣接する溝を形成することによっても制御することができる。スライダー１０の端部位置では、図３及び５から、案内縁部１４はエラストマー層の対応する側面のＵ字状溝内に収容されて、それにより迷路型のシールが形成されることが明らかにされる。シーリング機能は、前記溝として案内部１４の幅より幾分狭い幅の溝とすることにより、密着性が増しシール性が改善される。
【００２１】
図１及び図３は、ジッパー支持テープ２，３が、その端部領域における噛合部材列４，５が配されている側のテープ面に、好ましくはポリエステル織物のような平坦な平坦な補強部材２６が一体化されていることを示している。
【００２２】
図５から理解できるように、ジッパー支持テープ２，３の二つの互いに連結した端部の近傍に幅方向の接合バーシステムが設けられており、それが幅方向の力を吸収し且つ分離や拡開方向の力がかかった場合の損傷に対してジッパーを保護する。この接合バーシステムはＵ字状カム２１のＵ字状脚部２３、２４を繋ぐカムクロスバー２５の下方の、エラストマーや熱可塑性材料等の被覆層に挿入されられた張力に耐性のある柔軟な少なくとも一本の糸条２８を備えている。同糸条の好適な材質としてはアラミド繊維がある。
【００２３】
図６は、端部位置にあってスライダーにより被覆される支持テープ２，３の領域のいずれかの側には、幅方向の接合バーシステム２７の一部を構成する強く平坦な補強挿入部材２９が設けられていることを模式的に示している。張力に耐性があり柔軟な単糸又は複数糸からなる糸条２８は、それぞれ上記補強挿入部材２９上で終わるかこれに織り込まれることを示している。
【図面の簡単な説明】
【図１】スライダー内を案内される本発明のジッパーの概略部分断面図である。
【図２】図１のII-II 線に沿った矢視断面図である。
【図３】図２のIII-III 線に沿った矢視断面図である。
【図４】図２のIV-IV 線に沿った矢視断面図である。
【図５】図２のV-V 線に沿った矢視断面図である。
【図６】図５におけるVIの矢印方向から見たスライダーを除去して示すジッパー支持テープの概略平面図である。
【符号の説明】
１              ジッパー
２，３          ジッパー支持テープ
４，５          噛合部材列
６              基部テープ
９              密着縁部
１０              ジッパースライダー
１１              下板
１２              上板
１３              スライダー楔部
１４              案内縁部
１５，１６        第一チャンバー
１７，１８        第二チャンバー
１９              外縁
２０              層
２１              カム
２２              溝
２３，２４        脚部
２５              クロスバー
２６              補強部材
２７              接合バーシステム
２８              糸条
２９              補強挿入部材
【図１】
0003714890.tif 000002
【図２】
0003714890.tif 000003
【図３】
0003714890.tif 000004
【図４】
0003714890.tif 000005
【図５】
0003714890.tif 000006
【図６】
0003714890.tif 000007